(57)【特許請求の範囲】
【請求項１】
携帯端末でユーザインタフェースオブジェクトを画面に配置する方法において、
携帯端末の全般的な動作を制御する制御部が、既設定された期間の間各ユーザインタフェースオブジェクトが指定するプログラムの使用履歴を時間又は場所に関する少なくとも一つの基準に対して保存及び更新するステップと、
使用者が環境設定で、前記時間又は場所に関する一つ以上の基準のうち少なくとも一つの基準を選択するステップと、
前記制御部が、選択した基準に対して保存及び更新された使用履歴を参照して、各プログラムに該当するユーザインタフェースオブジェクトの配置位置を決定するステップと、を含み、
前記使用履歴は使用時間量及び操作回数の双方を含み、
前記選択された基準に対して保存及び更新された使用履歴を参照して、各プログラムに該当するユーザインタフェースオブジェクトの配置位置を決定するステップは、
使用時間量が相対的に多いプログラムに該当するユーザインタフェースオブジェクトであるほど画面の右側に位置させ、操作回数が相対的に多いプログラムに該当するユーザインタフェースオブジェクトであるほど画面の上側に位置させることを特徴とするユーザインタフェースオブジェクトの配置方法。
【請求項２】
前記時間又は場所に関する一つ以上の基準のうち少なくとも一つの基準を選択するステップは、
既定義された時間帯が到来した場合に到来した時間帯を基準に選択する、及び、
既定義された場所への移動を感知した場合に移動した場所を基準に選択する、の双方又はいずれか一方を含むことを特徴とする請求項１に記載のユーザインタフェースオブジェクトの配置方法。
【請求項３】
選択された基準に対して保存及び更新された使用履歴を参照して、各プログラムに該当するユーザインタフェースオブジェクトの配置位置を決定するステップは、
前記選択された基準に対する使用時間量又は操作回数を参照して、各プログラムが属するグループを決定するステップと、
前記選択された基準に対する使用時間量又は操作回数を参照して、前記決定されたグループに属する各プログラムの順位を決定するステップと、
各プログラムが属するグループ及びグループ内順位を参照して、各プログラムに該当するユーザインタフェースオブジェクトの配置位置を決定するステップと、を含むことを特徴とする請求項１に記載のユーザインタフェースオブジェクトの配置方法。
【請求項４】
前記選択された基準に対する使用時間量又は操作回数を参照して、各プログラムが属するグループを決定するステップは、
使用時間量又は操作回数によって決められた順位を与えられるプログラムを選別して該当グループに含み、使用時間量又は操作回数が多いほど該当プログラムを上位のグループに指定することを特徴とする請求項３に記載のユーザインタフェースオブジェクトの配置方法。
【請求項５】
前記各プログラムが属するグループ及びグループ内順位を参照して、各プログラムに該当するユーザインタフェースオブジェクトの配置位置を決定するステップは、
上位グループに属するプログラムに該当するユーザインタフェースオブジェクトであるほど、画面の右側に配置する、及び、相対的に目立つように表出する、の双方又はいずれか一方を含むことを特徴とする請求項４に記載のユーザインタフェースオブジェクトの配置方法。
【請求項６】
前記選択された基準に対する使用時間量又は操作回数を参照して、前記決定されたグループに属する各プログラムの順位を決定するステップは、
使用時間量又は操作回数が多いほど該当プログラムに高い順位を与えることを特徴とする請求項４に記載のユーザインタフェースオブジェクトの配置方法。
【請求項７】
前記各プログラムが属するグループ及びグループ内順位を参照して、各プログラムに該当するユーザインタフェースオブジェクトの配置位置を決定するステップは、
高い順位が与えられたプログラムに該当するユーザインタフェースオブジェクトであるほど、画面の上側に配置する、及び、相対的に目立つように表出する、の双方又はいずれか一方を含むことを特徴とする請求項６に記載のユーザインタフェースオブジェクトの配置方法。
【請求項８】
前記各プログラムが属するグループ及びグループ内順位を参照して、各プログラムに該当するユーザインタフェースオブジェクトの配置位置を決定するステップは、
グループ内の同じ順位が与えられた少なくとも二つ以上のプログラムに対するユーザインタフェースオブジェクトは水平に配置し、
使用時間量又は操作回数が多いプログラムに対するユーザインタフェースオブジェクトであるほど、画面の右側に配置する、及び、相対的に目立つように表出する、の双方又はいずれか一方を含むことを特徴とする請求項６に記載のユーザインタフェースオブジェクトの配置方法。
【請求項９】
選択された基準に対して保存及び更新された使用履歴を参照して、各プログラムに該当するユーザインタフェースオブジェクトの配置位置を決定するステップは、
各プログラムに関する使用履歴に含まれる少なくとも一つの項目にそれぞれ既設定された加重値を適用して合算した値によって、各プログラムに該当するユーザインタフェースオブジェクトの配置位置を決定することを特徴とする請求項１に記載のユーザインタフェースオブジェクトの配置方法。
【請求項１０】
前記時間又は場所に関する少なくとも一つ以上の基準は、
総期間、時間帯、曜日及び定義された場所のうち、少なくとも一つを含むことを特徴とする請求項１に記載のユーザインタフェースオブジェクトの配置方法。
【請求項１１】
携帯端末でユーザインタフェースオブジェクトを画面に配置する装置において、
入力のための入力部、表示データを出力するための表示部、データを保存する保存部、位置情報を受信するための位置情報受信部及び全般的な動作の制御を行う制御部を含み、
前記制御部は、
既設定された期間の間各ユーザインタフェースオブジェクトが指定するプログラムの使用時間量及び操作回数の双方を含む使用履歴を時間又は場所に関する少なくとも一つの基準に対して保存及び更新させ、前記時間又は場所に関する一つ以上の基準のうち選択した一つ以上の基準に対して保存及び更新された使用履歴を参照して各プログラムに該当するユーザインタフェースオブジェクトの配置位置を決定し、
前記制御部は、
使用時間量が相対的に多いプログラムに該当するユーザインタフェースオブジェクトであるほど画面の右側に位置させ、操作回数が相対的に多いプログラムに該当するユーザインタフェースオブジェクトであるほど画面の上側に位置させることを特徴とするユーザインタフェースオブジェクトの配置装置。
【請求項１２】
前記制御部は、
既定義された時間帯が到来した場合に到来した時間帯を基準に選択する、及び、
受信した位置情報から既定義された場所への移動を感知した場合に移動した場所を基準として選択する、の双方又はいずれか一方を行なうことを特徴とする請求項１１に記載のユーザインタフェースオブジェクトの配置装置。
【請求項１３】
前記制御部は、
前記選択された基準に対する使用時間量又は操作回数を参照して各プログラムが属するグループ及びグループ内順位を決定し、各プログラムが属するグループ及びグループ内順位を参照して各プログラムに該当するユーザインタフェースオブジェクトの配置位置を決定することを特徴とする請求項１１に記載のユーザインタフェースオブジェクトの配置装置。
【請求項１４】
前記制御部は、
使用時間量又は操作回数によって決められた順位を与えられるプログラムを選別して該当グループに含み、使用時間量又は操作回数が多いほど該当プログラムを上位のグループに指定することを特徴とする請求項１３に記載のユーザインタフェースオブジェクトの配置装置。
【請求項１５】
前記制御部は、
上位グループに属するプログラムに該当するユーザインタフェースオブジェクトであるほど画面の右側に配置する、及び、相対的に目立つように表出する、の双方又はいずれか一方を行なうことを特徴とする請求項１４に記載のユーザインタフェースオブジェクトの配置装置。
【請求項１６】
前記制御部は、
使用時間量又は操作回数が多いほど該当プログラムに高い順位を与えることを特徴とする請求項１４に記載のユーザインタフェースオブジェクトの配置装置。
【請求項１７】
前記制御部は、
高い順位が与えられた対象に該当するユーザインタフェースオブジェクトであるほど画面の上側に配置する、及び、相対的に目立つように表出する、の双方又はいずれか一方を行なうことを特徴とする請求項１６に記載のユーザインタフェースオブジェクトの配置装置。
【請求項１８】
前記制御部は、
グループ内で同じ順位が与えられた少なくとも二つ以上のプログラムに対するユーザインタフェースオブジェクトは水平に配置し、
操作回数が多い対象に対するユーザインタフェースオブジェクトであるほど画面の右側に配置する、及び、相対的に目立つように表出する、の双方又はいずれか一方を行なうことを特徴とする請求項１６に記載のユーザインタフェースオブジェクトの配置装置。
【請求項１９】
前記制御部は、
各プログラムに関する使用履歴に含まれる少なくとも一つの項目にそれぞれ既設定された加重値を適用して合算した値によって各プログラムに該当するユーザインタフェースオブジェクトの配置位置を決定することを特徴とする請求項１１に記載のユーザインタフェースオブジェクトの配置装置。
【請求項２０】
前記時間又は場所に関する少なくとも一つ以上の基準は、総期間、時間帯、曜日、及び定義された場所のうち少なくとも一つを含むことを特徴とする請求項１１に記載のユーザインタフェースオブジェクト配置装置。
【発明の詳細な説明】
【技術分野】
【０００１】
本発明は、携帯端末でユーザインタフェースオブジェクトを配置する方法及びその装置に係り、特に、個人化（パーソナライズ、カスタマイズ）を考慮してユーザインタフェースオブジェクトの配置方法及びその装置に関する。
【背景技術】
【０００２】
現在、電子通信産業の発達によって、移動通信端末（セルラーフォン）、電子手帳、個人複合端末などの携帯端末は現代社会の必需品になるとともに、急変する情報を伝達する重要な手段となっている。
【０００３】
周知のように、最近の携帯端末はグラフィックユーザインタフェース（Ｇｒａｐｈｉｃ  Ｕｓｅｒ  Ｉｎｔｅｒｆａｃｅ：ＧＵＩ）に基づいて使用者の入力の便宜を図っている。代表的な例として、携帯端末は搭載されたプログラムを実行できるアイコン（ｉｃｏｎ）を表示する。時々、使用者が複数のアイコンから頻繁に使用するアイコンを簡単に見つけられない場合がある。携帯端末は、使用者がアイコンを直接配置できる機能も提供しているが、使用者は面倒なことにアイコンをいちいち配置しなくてはならない。
【先行技術文献】
【特許文献】
【０００４】
【特許文献１】韓国特許公開第１０−２００５−０１０１２４７号
【発明の概要】
【発明が解決しようとする課題】
【０００５】
本発明の目的は、携帯端末で使用者の特性を考慮してアイコンなどのユーザインタフェースオブジェクトを自動的に配置する方法及びその装置を提供することにある。
【０００６】
本発明の他の目的は、携帯端末で個人化を考慮してユーザインタフェースオブジェクトを配置する方法及びその装置を提供することにある。
本発明のさらに他の目的は、携帯端末で使用履歴を考慮してユーザインタフェースオブジェクトを配置する方法及びその装置を提供することにある。
【課題を解決するための手段】
【０００７】
上記の課題を解決するためになされた本発明によるユーザインタフェースオブジェクトの配置方法は、携帯端末でユーザインタフェースオブジェクトを画面に配置する方法において、既設定された期間の間各ユーザインタフェースオブジェクトが指定するプログラムの使用履歴を時間又は場所に関する少なくとも一つの基準に対して保存及び更新するステップと、前記時間又は場所に関する一つ以上の基準のうち少なくとも一つの基準を選択するステップと、
選択した基準に対して保存及び更新された使用履歴を参照して、各プログラムに該当するユーザインタフェースオブジェクトの配置位置を決定するステップと、を含むことを特徴とし、前記使用履歴は使用時間量及び操作回数の双方又はいずれか一方を含むことを特徴とする。
【０００８】
上記の課題を解決するためになされた本発明によるユーザインタフェースオブジェクトを配置する装置は、携帯端末でユーザインタフェースオブジェクトを画面に配置する装置において、入力のための入力部、表示データを出力するための表示部、データを保存する保存部、位置情報を受信するための位置情報受信部及び全般的な動作の制御を行う制御部を含み、前記制御部は、既設定された期間の間各ユーザインタフェースオブジェクトが指定するプログラムの使用時間量及び操作回数の双方又はいずれか一方を含む使用履歴を時間又は場所に関する少なくとも一つの基準に対して保存及び更新させ、前記時間又は場所に関する一つ以上の基準のうち選択した一つ以上の基準に対して保存及び更新された使用履歴を参照して各プログラムに該当するユーザインタフェースオブジェクトの配置位置を決定することを特徴とする。
【発明の効果】
【０００９】
本発明によれば携帯端末において、選択した基準に対して保存及び更新された使用履歴を参照して、各プログラムに該当するユーザインタフェースオブジェクトの配置位置を決定するので、個人化サービスの基礎としてユーザインタフェースオブジェクトを自動的に配置できる。
【図面の簡単な説明】
【００１０】
【図１】本発明の一実施形態による携帯端末のブロック斜視図である。
【図２】本発明の一実施形態による携帯端末でアイコンが配置された画面である。
【図３】本発明の一実施形態による各プログラムの使用時間量を示す図表である。
【図４】図３を参照して各プログラム間の配置構造を示す図表である。
【図５】図４を参照して各プログラムに該当するアイコンを配置した画面である。
【図６】は本発明の一実施形態によって各プログラムの操作回数を示す図表である。
【図７】図６を参照して各プログラム間の配置構造を示す図表である。
【図８】図７を参照して各プログラムに該当するアイコンを配置した画面である。
【図９】図４及び図７を参照して各プログラムに該当するアイコンを配置した画面である。
【図１０】図５を参照して各プログラムに該当するアイコンを配置した画面である。
【図１１】図９を参照して各プログラムに該当するアイコンを配置した画面である。
【図１２】本発明の一実施形態によるユーザインタフェースオブジェクトの配置手順のフローチャートである。
【発明を実施するための形態】
【００１１】
以下、添付の図面を参照して本発明の動作原理を詳しく説明する。以下で本発明を説明するに当たって、関連する公知機能或いは構成に対して具体的な説明を行なうと本発明の要旨を却って不明確にする恐れがあると判断した場合、その詳細な説明を略する。そして後述される用語は、本発明においての機能を考慮して定義された用語であって、これはユーザ、運用者の意図又は慣例などに応じて異なることがある。従って、その定義は本明細書全般にわたる内容に基づいて定めなければならない。
【００１２】
本発明は携帯端末でユーザインタフェースオブジェクトを配置する方法及びその装置に関し、特に、個人化（カスタマイズ）を考慮してユーザインタフェースオブジェクトを配置する方法及びその装置に関する。本発明の一実施形態では、使用履歴を考慮してアイコンなどのユーザインタフェースオブジェクトを自動的に配置する。
【００１３】
図１は、本発明の一実施形態による携帯端末のブロック斜視図である。
図１に示すように、本発明による携帯端末（以下、単に端末ともいう）は入力のための入力部１１、表示データを出力するための表示部１２、データを保存する保存部１３、位置情報を受信するための位置情報受信部１４及び全般的な動作の制御を遂行する制御部１５を含む。
【００１４】
入力部１１は、ハードウェア的又はソフトウェア的に構成されたボタンが押されると、入力信号を制御部１５に出力する。表示部１２は、制御部１５の制御に応じて入力信号に相応する表示データを表示する。保存部１３は、端末の全般的な動作を制御する所定のプログラムと前記携帯端末の制御動作が行われる時入出力される各種データを保存する。位置情報受信部１４は、前記端末の位置情報を受信するもので、公知のＧＰＳ（Ｇｌｏｂａｌ  Ｐｏｓｉｔｉｏｎｉｎｇ  Ｓｙｓｔｅｍ）を利用することができる。制御部１５は、前記端末の全般的な動作を制御し、以下の図面を参照して制御部１５の本発明の一実施形態によるユーザインタフェースオブジェクトの配置方法について説明する。
【００１５】
図２は、本発明の一実施形態による携帯端末でアイコンが配置された画面を示す。ユーザインタフェースオブジェクトは実行対象を指定するもので、代表的な例として、公知のアイコンがある。前記アイコンが押されると該当プログラムが実行される。これに限定されず、端末が放送受信端末の場合、前記ユーザインタフェースオブジェクトは各放送チャンネルを指定するものでもあり得る。
【００１６】
図２に示すように、本発明の一実施形態による端末は各プログラムの使用履歴を考慮してアイコンを再配置する。後述するが、相対的に長い時間実行（使用）されるか、又は実行開始以来の使用者の操作回数が多かったプログラムのアイコンであるほど高い順位が与えられて、この順位によってアイコンが画面２１に再配置される。一例として、操作回数が多いプログラムのアイコンであるほど画面の右側に配置される。また、使用時間量が多いプログラムのアイコンであるほど画面の上側に配置される。前記操作回数とは、該当プログラムが実行されてから使用者が実行されたプログラムを扱うためにボタンを押したりすることによって入力信号が発生された数をいう。さらに、順位が高いアイコン２２であるほど相対的に目立つように表出されることもできる。
【００１７】
前記端末は、各アイコンが指定するプログラムの使用履歴（例えば、使用時間量、操作回数）を少なくとも一つ以上の基準に基づいて保存及び更新する。保存及び更新の期間は一週間、一ヶ月、一年などに設定できる。一例として、一週間が保存及び更新の期間に決定されると、今週には先週の使用履歴に基づいてアイコンが再配置される。これとは異なり、現在から一週間前までの使用履歴に基づいてアイコンが再配置される。
【００１８】
前記各アイコンが指定するプログラムの使用履歴を保存及び更新する基準は、時間に関する基準と場所に関する基準であり得る。まず、時間に関する基準は総期間、時間帯（例えば、０６時〜１２時、平日、公休日など）、曜日のうちいずれかの一つであり得る。次に、場所に関する基準は家、事務室などであり得る。場所に関する基準を設定するために、前記端末は常に位置を把握しておき、把握された位置を基点とする所定半径の範囲を家、事務室などの場所として定義する。
【００１９】
前記端末は前記時間に関する基準又は前記場所に関する基準が選択される（又は、満たされる）と、前記選択された基準に相応するようにアイコンを自動的に再配置する。一例として、時間帯が変わると、端末は変わった時間帯に対する使用履歴を用いてアイコンを自動的に再配置するようになる。また、事務室にあった端末が家に移されると、家に対する使用履歴を用いてアイコンを自動的に再配置するようになる。上述のように、使用者の生活習慣、特性によって頻繁に使うプログラムのアイコンが自動的に配置されるので、これにより使用者に便宜を与えることができる。
【００２０】
図３は、本発明の一実施形態によって各プログラムの使用時間量を示す図表である。前述のように、各プログラムの使用時間量は既設定された期間の間保存及び更新される。
【００２１】
図３に示すように、前記時間に関する基準は総期間、時間帯、曜日などであり得る。また、前記場所に関する基準は家、事務室、その他の場所などであり得る。前記総期間を基準に、制御部１５は既設定された期間の間各プログラムが使われた総時間量を算出する。また、前記時間帯を基準に、制御部１５は既設定された期間の間既区分された時間帯別（例えば、０６時〜１２時、１２時〜１８時、１８時〜２４時、２４時〜０６時、平日、公休日）に各プログラムが使われた時間量を算出する。さらに、前述した場所（家、事務室、その他の場所）を基準に、制御部１５は既設定された期間の間各場所で各プログラムが使われた時間量を算出する。
【００２２】
図４は、図３を参照して各プログラムの間の配置構造を示す図表である。本発明の一実施形態による配置構造は次のとおりである。
【００２３】
図４に示すように、前記配置構造は画面の右側から左側へと順番に配置されるように指定された少なくとも一つ以上のグループを有する。図示のように、グループ１はグループ２より使用時間量が多いプログラムを含む。また、グループ２はグループ３より使用時間量が多いプログラムを含む。
【００２４】
前記グループは、使用時間量によって決められた順位を与えられるプログラムを含むことができる。すなわち、前記グループ内のプログラムは使用時間量によって順位が与えられる。一実施形態によって、前記グループは三つの順位（例えば、第１順位、第２順位、第３順位）を与えられるプログラムを含むことができる。同じ使用時間量を有する少なくとも二つ以上のプログラムがある場合、このプログラムは同じグループの同じ順位を与えられることになる。同じグループでは第１順位に当たるプログラムの使用時間量が最も多く、第２順位に当たるプログラムはその次で、第３順位に当たるプログラムは最も少ない。
【００２５】
上述のように、制御部１５は時間又は場所に関する基準で各プログラムの使用時間量を算出し、これによって各プログラムが属するグループが決定される。各グループに含まれる各プログラムは使用時間量によって順位が与えられる。
【００２６】
図５は、図４を参照して各プログラムに該当するアイコンを配置した画面である。図５の（Ａ）は総期間を基準に使用時間量に対してアイコンを配置した画面で、図５の（Ｂ）は１８時〜２４時の時間帯を基準に使用時間量に対してアイコンを配置した画面で、図５の（Ｃ）は事務室を基準に使用時間量に対してアイコンを配置した画面である。
【００２７】
図５に示すように、グループ１から画面の右側から左側へと順番に配置される。各グループに属するプログラムのアイコンは順位が高いものが上に置かれるように縦方向に配置される。該当グループで順位が高いプログラムは相対的に使用時間量が多いということを示す。
【００２８】
図６は、本発明の一実施形態によって各プログラムの操作回数を示す図表である。前述のように、各プログラムの操作回数は既設定された期間の間保存及び更新される。
【００２９】
図６に示すように、前記時間に関する基準は総期間、時間帯、曜日などであり得る。また、前記場所に関する基準は家、事務室、その他の場所などであり得る。前記総期間を基準に、制御部１５は既設定された期間の間各プログラムが操作された回数を算出する。前記時間帯を基準に、制御部１５は既設定された期間の間既区分された時間帯別（例えば、０６時〜１２時、１２時〜１８時、１８時〜２４時、２４時〜０６時、平日、公休日）に各プログラムの操作回数を算出する。さらに、前記場所（例えば、家、事務室、その他）を基準に、制御部１５は既設定された期間の間既定義された場所別に各プログラムが操作された回数を算出する。
【００３０】
図７は、図６を参照して各プログラムの間の配置構造を示す図表である。本発明の一実施形態による配置構造は次のとおりである。
【００３１】
図７に示すように、前記配置構造は画面の右側から左側へと順番に配置されるように指定された少なくとも一つ以上のグループを有する。図示のように、グループ１はグループ２より操作回数が多いプログラムを含む。また、グループ２はグループ３より操作回数が多いプログラムを含む。
【００３２】
前記グループは決められた個数の順位を与えられるプログラムを含む。前記グループ内のプログラムは操作回数によって順位が与えられる。一実施形態によって、前記グループは三つの順位（例えば、第１順位、第２順位、第３順位）を与えられるプログラムを含む。同じ操作回数を有する少なくとも二つ以上のプログラムがある場合、この二つのプログラムには同じグループの同じ順位が与えられる。同じグループでは第１順位に当たるプログラムの操作回数が最も多く、第２順位に当たるプログラムがその次で、第３順位に当たるプログラムが最も低い。
【００３３】
上述のように、制御部１５は時間又は場所に関する基準で各プログラムの操作回数を算出して、これを用いて各プログラムが属するグループを決定する。各グループに含まれる各プログラムは操作回数によって順位が与えられる。
【００３４】
図８は、図７を参照して各プログラムに該当するアイコンを配置した画面である。図８の（Ａ）は総期間を基準に操作回数に対してアイコンを配置した画面で、図８の（Ｂ）は１８時〜２４時の時間帯を基準に操作回数に対してアイコンを配置した画面で、図８の（Ｃ）は事務室を基準に操作回数に対してアイコンを配置した画面である。
【００３５】
図８に示すように、グループ１から画面の右側から左側へと順番に配置される。各グループに属するプログラムのアイコンは順位が高いものが上に置かれるように縦方向に配置される。該当グループで順位が高いプログラムは相対的に操作回数が多いということを示す。図８の（Ｂ）及び（Ｃ）に示すように、同じグループ内の同じ順位のプログラムのアイコン（Ｅ−ｍａｉｌ、Ｍｅｓｓｅｎｇｅｒ、ＳＭＳ−ＭＭＳ）は水平に並べられて配置される。
【００３６】
図９は、図４及び図７を参照して各プログラムに該当するアイコンを配置した画面である。図９は事務室を基準に操作回数に対してアイコンを配置した画面である。
【００３７】
図９に示すように、前述のように、グループ１から画面の右側から左側へと順番に配置される。各グループに属するプログラムのアイコンは順位が高いものが上に置かれるように縦方向に配置される。ただし、グループ内の同じ順位のアイコン（Ｅ−ｍａｉｌ、Ｍｅｓｓｅｎｇｅｒ、ＳＭＳ−ＭＭＳ）は図４を参照して使用時間量が多いものが右側に置かれるように水平方向に配置される。
【００３８】
図１０は、図５を参照して各プログラムに該当するアイコンを配置した画面である。図１０は事務室を基準に使用時間量に対してアイコンを配置した画面である。
【００３９】
図１０に示すように、前述のように、グループ１から画面の右側から左側へと順番に配置される。各グループに属するプログラムのアイコンは順位が高いものが上に置かれるように縦方向に配置される。ただし、使用時間量が相対的に少ないグループであるほどグループ内のアイコンが小さく表示される。さらに、使用時間量が相対的に多いグループであるほどはっきりと目立つように大きく表示できる。
【００４０】
図１１は、図９を参照して各プログラムに該当するアイコンを配置した画面であり、事務室を基準に操作回数に対してアイコンを配置した画面である。
【００４１】
図１１に示すように、前述のように、グループ内の同じ順位のアイコンは図４を参照して使用時間量が多いものが右側に置かれるように水平方向に配置される。ただし、グループ内の同じ順位のアイコンのうち、使用時間量が相対的に少ないものであるほど小さく表示される。さらに、単一グループ内の同じ順位のアイコンで、使用時間量が相対的に多いものであるほどはっきりと大きく目立つように表示できる。
【００４２】
図１２は、本発明の一実施形態によるユーザインタフェースオブジェクトの配置手順のフローチャートである。
【００４３】
図１２に示すように、制御部１５は既設定された期間の間各ユーザインタフェースオブジェクトが指定する対象の使用履歴を少なくとも一つ以上の基準に対して保存及び更新する（ステップ１２０１）。前記ユーザインタフェースオブジェクトは公知のアイコンで、その対象はプログラムであり得る。前記使用履歴は、該当プログラムを実行させてから使用した時間量又は該当プログラムが実行されてから使用者が実行されているプログラムを扱うためにボタンを押したりすることによって入力が発生した回数を含む。前述のように、前記基準は総期間、時間帯（例えば、０６時〜１２時、平日、公休日など）、曜日、場所などを含む。
【００４４】
次に、制御部１５は該当基準が選択されたかを判別する（ステップ１２０３）。使用者が環境設定で該当基準を直接選択する。特に、前述のように、該当時間帯が到来すると、制御部１５は到来した時間帯を基準として選択できる。さらに、既定義された場所への移動が感知されると、制御部１５は移動した場所を基準として選択できる。
【００４５】
以後、制御部１５は選択された基準に対して保存及び更新した使用履歴を参照して、各対象が属するグループを決定し、各決定されたグループ内の各対象の順位を決定する（ステップ１２０５）。
【００４６】
その後、制御部１５は前記決定されたグループ及び順位を参照して、各対象に該当するユーザインタフェースオブジェクトの画面上配置位置を決定する（ステップ１２０７）。一実施形態によって、各グループは画面の右側から左側へと順番に配置されるように指定される。右側に配置されるように指定されたグループは左側に配置されるように指定されたグループより使用時間量又は操作回数が多いプログラムを含む。また、グループ内の各プログラムには使用時間量又は操作回数が多いほど高い順位が与えられる。グループ内で高い順位が与えられたプログラムのアイコンであるほど相対的に画面の上側に置かれるようになる。また、グループ内で同じ順位の少なくとも二つ以上のプログラムのアイコンは水平に配置されるが、使用時間量又は操作回数が多いプログラムのアイコンであるほど右側に配置される。
【００４７】
本発明の他の実施例によって、制御部１５は下記のような方法で各対象のユーザインタフェースオブジェクトが属するグループ及びグループ内順位を決定する。制御部１５は、選択された基準（例えば、時間帯、場所など）に対する使用履歴に加重値を適用して合算した値を算出する。次に、制御部１５は算出された値の大きさによってグループ及びグループ内順位を決定する。参考例として、下記式により値を算出する。
（使用時間量×加重値１）＋（操作回数×加重値２）＋・・・
【００４８】
以上、本発明によれば携帯端末において、選択した基準に対して保存及び更新された使用履歴を参照して、各プログラムに該当するユーザインタフェースオブジェクトの配置位置を決定するので、個人化サービスの基礎としてユーザインタフェースオブジェクトを自動的に配置できる。
【００４９】
一方、本発明の発明を実施するための形態では具体的な実施形態に関して説明したが、本発明の範囲を逸脱しない範囲内で多様な変形が可能である。従って、本発明の範囲は、説明された実施形態に限定されて定められてはならず、後述する特許請求の範囲だけでなく、この特許請求の範囲と均等なものによって定められるべきである。
【符号の説明】
【００５０】
１１    入力部
１２    表示部
１３    保存部
１４    位置情報受信部
１５    制御部
２１    画面
２２    アイコン
【図１】
0005997926.tif 000002
【図２】
0005997926.tif 000003
【図３】
0005997926.tif 000004
【図４】
0005997926.tif 000005
【図５】
0005997926.tif 000006
【図６】
0005997926.tif 000007
【図７】
0005997926.tif 000008
【図８】
0005997926.tif 000009
【図９】
0005997926.tif 000010
【図１０】
0005997926.tif 000011
【図１１】
0005997926.tif 000012
【図１２】
0005997926.tif 000013